(57)【要約】【課題】冷媒の循環方向を切り換え可能な冷媒回路を有する冷凍装置において、加熱能力が必要とされる冷媒の循環状態においても、圧縮機構の圧縮行程中の冷媒を冷却しながら、圧縮仕事で生じた熱を有効に利用できるようにする。【解決手段】冷媒循環方向切換弁２３によって冷媒の循環方向を切り換え可能な冷媒回路１０を有する空気調和装置１において、冷媒回路１０から分離される熱媒体を冷媒回路１０に起因しない冷却源によって冷却する第１熱媒体冷却器４２と、熱媒体を冷媒回路１０に起因する冷却源によって冷却する第２熱媒体冷却器４３と、第１熱媒体冷却器４２と第２熱媒体冷却器４３とを切り換える熱媒体冷却器切換弁４４と、第１熱媒体冷却器４２又は第２熱媒体冷却器４３において冷却された熱媒体によって圧縮機２１を流れる冷媒を冷却する圧縮機構冷却器４８とを有する熱媒体回路１１が設けられている。【選択図】図１
2010107141.tif 000002
【特許請求の範囲】
【請求項１】
冷媒を圧縮する圧縮機構（２１）と、熱源側熱交換器（２４）と、利用側熱交換器（５１）と、前記熱源側熱交換器を前記圧縮機構において圧縮された冷媒の放熱を行う放熱器として機能させかつ前記利用側熱交換器を前記熱源側熱交換器において放熱した冷媒を蒸発させる蒸発器として機能させる第１冷媒循環状態と前記利用側熱交換器を前記圧縮機構において圧縮された冷媒の放熱を行う放熱器として機能させかつ前記熱源側熱交換器を前記利用側熱交換器において放熱した冷媒を蒸発させる蒸発器として機能させる第２冷媒循環状態とを切り換える冷媒循環方向切換機構（２３）とを有する冷媒回路（１０）と、
前記冷媒回路から分離される熱媒体又は前記冷媒回路を流れる冷媒とは別の熱媒体を前記冷媒回路に起因しない冷却源によって冷却する第１熱媒体冷却器（４２）と、前記熱媒体を前記冷媒回路に起因する冷却源によって冷却する第２熱媒体冷却器（４３）と、前記第１冷媒循環状態である場合に前記第１熱媒体冷却器を使用する第１熱媒体冷却状態と前記第２冷媒循環状態である場合に前記第２熱媒体冷却器を使用する第２熱媒体冷却状態とを切り換える熱媒体冷却器切換機構（４４）と、前記第１熱媒体冷却器又は前記第２熱媒体冷却器において冷却された熱媒体によって前記圧縮機構を流れる冷媒を冷却する圧縮機構冷却器（４８）とを有する熱媒体回路（１１、１１１）と、
を備えた冷凍装置（１）。
【請求項２】
前記熱源側熱交換器（２４）は、室外空気によって冷媒の放熱又は蒸発を行う熱交換器であり、
前記冷媒回路（１０）に起因する冷却源は、前記熱源側熱交換器において発生するドレン水である、
請求項１に記載の冷凍装置（１）。
【請求項３】
前記冷媒回路（１０）に起因する冷却源は、前記熱源側熱交換器（２４）内の冷媒である、請求項１に記載の冷凍装置（１）。
【請求項４】
前記冷媒回路（１０）に起因する冷却源は、前記熱源側熱交換器（２４）と前記圧縮機構（２１）との間を流れる冷媒である、請求項１に記載の冷凍装置（１）。
【請求項５】
前記熱源側熱交換器（２４）は、室外空気によって冷媒の放熱又は蒸発を行う熱交換器であり、
前記冷媒回路（１０）に起因する冷却源は、蓄熱材（４３ａ）である、
請求項１に記載の冷凍装置（１）。
【請求項６】
前記冷媒回路（１０）は、前記圧縮機構（２１）において圧縮された冷媒中から冷凍機油を分離する油分離機構（２２）をさらに有しており、
前記冷媒回路から分離される熱媒体は、前記油分離機構において分離された冷凍機油である、
請求項１〜５のいずれかに記載の冷凍装置（１）。
【請求項７】
前記熱媒体は、前記圧縮機構冷却器（４８）において前記圧縮機構（２１）を流れる冷媒を冷却した後に前記冷媒回路（１０）の前記圧縮機構と前記油分離機構（２２）との間の位置に戻される、請求項６に記載の冷凍装置（１）。
【請求項８】
前記熱媒体回路（１１１）は、前記冷媒回路（１０）を流れる冷媒とは別の熱媒体が循環する閉回路である、請求項１〜５のいずれかに記載の冷凍装置（１）。
【請求項９】
前記冷媒回路に封入される冷媒は、二酸化炭素である、請求項１〜８のいずれかに記載の冷凍装置（１）。
【発明の詳細な説明】
【技術分野】
【０００１】
本発明は、冷凍装置、特に、冷媒の循環方向を切り換え可能な冷媒回路を有する冷凍装置に関する。
【背景技術】
【０００２】
従来より、冷媒の循環方向を切り換え可能な冷媒回路を有する冷凍装置として、四路切換弁を用いて冷媒回路内の冷媒の循環方向を切り換えることによって、冷房と暖房とを切り換えることが可能な空気調和装置がある。このような空気調和装置において、冷媒は、圧縮機の圧縮動作によって冷媒回路内を循環することになる。
【０００３】
また、特許文献１には、冷媒回路を構成する圧縮機において、インタークーラを設けることで圧縮行程中の冷媒を冷却する構成を採用して、これにより、圧縮行程における圧縮動力を小さくする内容が記載されている。
【特許文献１】特表平６−５０５３３０号公報
【発明の開示】
【発明が解決しようとする課題】
【０００４】
上述の冷房と暖房とを切り換えることが可能な空気調和装置において、特許文献１に記載の圧縮機の圧縮行程中の冷媒を冷却する構成を採用すると、冷媒の循環方向が冷房及び暖房のいずれの状態においても圧縮動力が小さくなるため、この点においては有利である。
【０００５】
しかし、圧縮行程中の冷媒が室外空気や冷却水によって冷却されると、暖房のような加熱能力が必要とされる冷媒の循環状態において、圧縮仕事で生じた熱を有効に利用できないという問題が生じることになる。
【０００６】
本発明の課題は、冷媒の循環方向を切り換え可能な冷媒回路を有する冷凍装置において、加熱能力が必要とされる冷媒の循環状態においても、圧縮機構の圧縮行程中の冷媒を冷却しながら、圧縮仕事で生じた熱を有効に利用できるようにすることにある。
【課題を解決するための手段】
【０００７】
第１の発明にかかる冷凍装置は、冷媒を圧縮する圧縮機構と熱源側熱交換器と利用側熱交換器と冷媒循環方向切換機構とを有する冷媒回路と、第１熱媒体冷却器と第２熱媒体冷却器と熱媒体冷却器切換機構と圧縮機構冷却器とを有する熱媒体回路とを備えている。冷媒循環方向切換機構は、熱源側熱交換器を圧縮機構において圧縮された冷媒の放熱を行う放熱器として機能させ、かつ、利用側熱交換器を熱源側熱交換器において放熱した冷媒を蒸発させる蒸発器として機能させる第１冷媒循環状態と、利用側熱交換器を圧縮機構において圧縮された冷媒の放熱を行う放熱器として機能させ、かつ、熱源側熱交換器を利用側熱交換器において放熱した冷媒を蒸発させる蒸発器として機能させる第２冷媒循環状態とを切り換える機構である。第１熱媒体冷却器は、冷媒回路から分離される熱媒体又は冷媒回路を流れる冷媒とは別の熱媒体を冷媒回路に起因しない冷却源によって冷却する冷却器である。第２熱媒体冷却器は、熱媒体を冷媒回路に起因する冷却源によって冷却する冷却器である。熱媒体冷却器切換機構は、第１冷媒循環状態である場合に第１熱媒体冷却器を使用する第１熱媒体冷却状態と、第２冷媒循環状態である場合に第２熱媒体冷却器を使用する第２熱媒体冷却状態とを切り換える機構である。圧縮機構冷却器は、第１熱媒体冷却器又は第２熱媒体冷却器において冷却された熱媒体によって圧縮機構を流れる冷媒を冷却する冷却器である。ここで、「冷媒回路に起因する冷却源」とは、冷媒回路を流れる冷媒、及び、ドレン水や蓄熱材のような冷媒回路を流れる冷媒との熱交換によって熱媒体を冷却する能力を有するものを意味し、「冷媒回路に起因しない冷却源」とは、室外空気や冷却水のような冷媒回路を流れる冷媒とは無関係に熱媒体を冷却する能力を有するものを意味する。
【０００８】
この冷凍装置では、冷媒循環方向切換機構が第１冷媒循環状態である場合には、圧縮機構において圧縮された冷媒は、主として、熱源側熱交換器及び利用側熱交換器の順に冷媒回路内を循環し、冷媒回路から分離される熱媒体又は冷媒回路を流れる冷媒とは別の熱媒体は、熱媒体冷却器切換機構が第１熱媒体冷却状態になるため、第１熱媒体冷却器において、冷媒回路に起因しない冷却源によって冷却された後に、圧縮機構冷却器において、圧縮機構を流れる冷媒を冷却するように熱媒体回路を循環する。また、冷媒循環方向切換機構が第２冷媒循環状態である場合には、圧縮機構において圧縮された冷媒は、主として、利用側熱交換器及び熱源側熱交換器の順に冷媒回路内を循環し、冷媒回路から分離される熱媒体又は冷媒回路を流れる冷媒とは別の熱媒体は、熱媒体冷却器切換機構が第２熱媒体冷却状態になるため、第２熱媒体冷却器において、冷媒回路に起因する冷却源によって冷却された後に、圧縮機構冷却器において、圧縮機構を流れる冷媒を冷却するように熱媒体回路を循環する。すなわち、冷媒循環方向切換機構が第２冷媒循環状態である場合には、加熱能力が必要とされるところ、冷媒循環方向切換機構が第１冷媒循環状態である場合と同様に、冷媒回路から分離される熱媒体又は冷媒回路を流れる冷媒とは別の熱媒体を冷媒回路に起因しない冷却源によって冷却すると、単に室外に放熱する等のように放熱ロスとなってしまうが、この冷凍装置では、冷媒循環方向切換機構が第２冷媒循環状態である場合には、冷媒回路から分離される熱媒体又は冷媒回路を流れる冷媒とは別の熱媒体を冷媒回路に起因する冷却源によって冷却し、放熱ロスが生じるのを抑えることができる。
【０００９】
これにより、この冷凍装置では、冷媒循環方向切換機構が第２冷媒循環状態である場合においても、圧縮機構の圧縮行程中の冷媒を冷却しながら、圧縮仕事で生じた熱を有効に利用することができる。
【００１０】
第２の発明にかかる冷凍装置は、第１の発明にかかる冷凍装置において、熱源側熱交換器は、室外空気によって冷媒の放熱又は蒸発を行う熱交換器であり、冷媒回路に起因する冷却源は、熱源側熱交換器において発生するドレン水である。
【００１１】
この冷凍装置では、冷媒循環方向切換機構が第２冷媒循環状態である場合には、圧縮機構において圧縮された冷媒は、主として、利用側熱交換器及び熱源側熱交換器の順に冷媒回路内を循環し、冷媒回路から分離される熱媒体又は冷媒回路を流れる冷媒とは別の熱媒体は、熱媒体冷却器切換機構が第２熱媒体冷却状態になるため、第２熱媒体冷却器において、熱源側熱交換器において発生するドレン水によって冷却された後に、圧縮機構冷却器において、圧縮機構を流れる冷媒を冷却する。すなわち、この冷凍装置では、冷媒循環方向切換機構が第２冷媒循環状態である場合には、冷媒回路から分離される熱媒体又は冷媒回路を流れる冷媒とは別の熱媒体を熱源側熱交換器において発生するドレン水によって冷却し、加熱されたドレン水の熱を、熱源側熱交換器やそのドレンパンにおけるドレン水の凍結防止や結晶成長を抑制することに利用して、放熱ロスが生じるのを抑えることができる。
【００１２】
これにより、この冷凍装置では、冷媒循環方向切換機構が第２冷媒循環状態である場合においても、圧縮機構の圧縮行程中の冷媒を冷却しながら、圧縮仕事で生じた熱を有効に利用することができる。特に、この冷凍装置では、熱源側熱交換器やそのドレンパンにおけるドレン水の凍結防止や結晶成長を抑制することが可能になるという利点がある。
【００１３】
第３の発明にかかる冷凍装置は、第１の発明にかかる冷凍装置において、冷媒回路に起因する冷却源は、熱源側熱交換器内の冷媒である。
【００１４】
この冷凍装置では、冷媒循環方向切換機構が第２冷媒循環状態である場合には、圧縮機構において圧縮された冷媒は、主として、利用側熱交換器及び熱源側熱交換器の順に冷媒回路内を循環し、冷媒回路から分離される熱媒体又は冷媒回路を流れる冷媒とは別の熱媒体は、熱媒体冷却器切換機構が第２熱媒体冷却状態になるため、第２熱媒体冷却器において、熱源側熱交換器内の冷媒によって冷却された後に、圧縮機構冷却器において、圧縮機構を流れる冷媒を冷却する。すなわち、この冷凍装置では、冷媒循環方向切換機構が第２冷媒循環状態である場合には、冷媒回路から分離される熱媒体又は冷媒回路を流れる冷媒とは別の熱媒体を熱源側熱交換器内の冷媒によって冷却し、熱源側熱交換器内の冷媒の加熱によって、熱源側熱交換器における蒸発負荷を小さくすることに利用して、放熱ロスが生じるのを抑えることができる。
【００１５】
これにより、この冷凍装置では、冷媒循環方向切換機構が第２冷媒循環状態である場合においても、圧縮機構の圧縮行程中の冷媒を冷却しながら、圧縮仕事で生じた熱を有効に利用することができる。特に、この冷凍装置では、熱源側熱交換器における蒸発負荷を小さくすることが可能になるという利点がある。
【００１６】
第４の発明にかかる冷凍装置は、第１の発明にかかる冷凍装置において、冷媒回路に起因する冷却源は、熱源側熱交換器と圧縮機構との間を流れる冷媒である。
【００１７】
この冷凍装置では、冷媒循環方向切換機構が第２冷媒循環状態である場合には、圧縮機構において圧縮された冷媒は、主として、利用側熱交換器及び熱源側熱交換器の順に冷媒回路内を循環し、冷媒回路から分離される熱媒体又は冷媒回路を流れる冷媒とは別の熱媒体は、熱媒体冷却器切換機構が第２熱媒体冷却状態になるため、第２熱媒体冷却器において、熱源側熱交換器内の冷媒によって冷却された後に、圧縮機構冷却器において、圧縮機構を流れる冷媒を冷却する。すなわち、この冷凍装置では、冷媒循環方向切換機構が第２冷媒循環状態である場合には、冷媒回路から分離される熱媒体又は冷媒回路を流れる冷媒とは別の熱媒体を熱源側熱交換器と圧縮機構との間を流れる冷媒によって冷却し、熱源側熱交換器と圧縮機構との間を流れる冷媒の加熱によって、放熱ロスが生じるのを抑えることができる。
【００１８】
これにより、この冷凍装置では、冷媒循環方向切換機構が第２冷媒循環状態である場合においても、圧縮機構の圧縮行程中の冷媒を冷却しながら、圧縮仕事で生じた熱を有効に利用することができる。
【００１９】
第５の発明にかかる冷凍装置は、第１の発明にかかる冷凍装置において、熱源側熱交換器は、室外空気によって冷媒の放熱又は蒸発を行う熱交換器であり、冷媒回路に起因する冷却源は、蓄熱材である。
【００２０】
この冷凍装置では、冷媒循環方向切換機構が第２冷媒循環状態である場合には、圧縮機構において圧縮された冷媒は、主として、利用側熱交換器及び熱源側熱交換器の順に冷媒回路内を循環し、冷媒回路から分離される熱媒体又は冷媒回路を流れる冷媒とは別の熱媒体は、熱媒体冷却器切換機構が第２熱媒体冷却状態になるため、第２熱媒体冷却器において、熱源側熱交換器内の冷媒によって冷却された後に、圧縮機構冷却器において、圧縮機構を流れる冷媒を冷却する。すなわち、この冷凍装置では、冷媒循環方向切換機構が第２冷媒循環状態である場合には、冷媒回路から分離される熱媒体又は冷媒回路を流れる冷媒とは別の熱媒体を蓄熱材によって冷却し、蓄熱材の加熱により蓄えられた熱を、熱源側熱交換器の除霜用の熱源として利用して、放熱ロスが生じるのを抑えることができる。
【００２１】
これにより、この冷凍装置では、冷媒循環方向切換機構が第２冷媒循環状態である場合においても、圧縮機構の圧縮行程中の冷媒を冷却しながら、圧縮仕事で生じた熱を有効に利用することができる。特に、この冷凍装置では、熱源側熱交換器の除霜用の熱源として使用することが可能になるという利点がある。
【００２２】
第６の発明にかかる冷凍装置は、第１〜第５の発明のいずれかにかかる冷凍装置において、冷媒回路は、圧縮機構において圧縮された冷媒中から冷凍機油を分離する油分離機構をさらに有しており、冷媒回路から分離される熱媒体は、油分離機構において分離された冷凍機油である。
【００２３】
この冷凍装置では、冷媒回路から分離される熱媒体を使用して、冷媒循環方向切換機構が第２冷媒循環状態である場合においても、圧縮機構の圧縮行程中の冷媒を冷却しながら、圧縮仕事で生じた熱を有効に利用している。
【００２４】
第７の発明にかかる冷凍装置は、第６の発明のいずれかにかかる冷凍装置において、熱媒体は、圧縮機構冷却器において圧縮機構を流れる冷媒を冷却した後に冷媒回路の圧縮機構と油分離機構との間の位置に戻される。
【００２５】
この冷凍装置では、油分離機構において分離された冷凍機油を圧縮機構と油分離機構との間に戻すように熱媒体回路を循環させているため、冷媒回路の圧縮機構から離れた部分に冷凍機油が分布しにくくなり、熱媒体回路を循環する冷凍機油の流量が安定し、これにより、安定した圧縮機構冷却器の冷却能力を得ることができる。
【００２６】
第８の発明にかかる冷凍装置は、第１〜第５の発明のいずれかにかかる冷凍装置において、熱媒体回路は、冷媒回路を流れる冷媒とは別の熱媒体が循環する閉回路である。
【００２７】
この冷凍装置では、熱媒体回路が冷媒回路を流れる冷媒とは別の熱媒体が循環する閉回路であるため、熱媒体回路を循環する熱媒体の流量が安定し、これにより、安定した圧縮機構冷却器の冷却能力を得ることができる。
【００２８】
第９の発明にかかる冷凍装置は、第１〜第８の発明のいずれかにかかる冷凍装置において、冷媒回路に封入される冷媒は、二酸化炭素である。
【発明の効果】
【００２９】
以上の説明に述べたように、本発明によれば、以下の効果が得られる。
【００３０】
第１、第４、第６及び第９の発明では、冷媒循環方向切換機構が第２冷媒循環状態である場合においても、圧縮機構の圧縮行程中の冷媒を冷却しながら、圧縮仕事で生じた熱を有効に利用することができる。
【００３１】
第２の発明では、特に、熱源側熱交換器やそのドレンパンにおけるドレン水の凍結防止や結晶成長を抑制することが可能になるという利点がある。
【００３２】
第３の発明では、特に、熱源側熱交換器における蒸発負荷を小さくすることが可能になるという利点がある。
【００３３】
第５の発明では、特に、熱源側熱交換器の除霜用の熱源として使用することが可能になるという利点がある。
【００３４】
第７及び第８の発明では、安定した圧縮機構冷却器の冷却能力を得ることができる。
【発明を実施するための最良の形態】
【００３５】
以下、図面に基づいて、本発明にかかる冷凍装置の実施形態について説明する。
【００３６】
（１）空気調和装置の構成
図１は、本発明の一実施形態にかかる冷凍装置としての空気調和装置１の概略構成図である。空気調和装置１は、主として、室外ユニット２と室内ユニット５と、室外ユニット２と室内ユニット５とを接続する液冷媒連絡管６及びガス冷媒連絡管７とを備えており、冷房運転と暖房運転を切り換え可能な冷媒回路１０を構成している。また、冷媒回路１０には、冷媒として二酸化炭素が、また、冷凍機油としてポリアルキレングリコール（ＰＡＧ）が封入されている。そして、空気調和装置１は、臨界圧力を超える圧力まで冷媒を圧縮する超臨界冷凍サイクルを行うようになっている。
【００３７】
＜室内ユニット＞
室内ユニット５は、液冷媒連絡管６及びガス冷媒連絡管７を介して室外ユニット２に接続されており、冷媒回路１０の一部を構成している。
【００３８】
室内ユニット５は、主として、冷媒回路１０の一部を構成する室内側冷媒回路１０ａを有している。この室内側冷媒回路１０ａは、主として、利用側熱交換器としての室内熱交換器５１を有している。
【００３９】
室内熱交換器５１は、冷房運転時には、熱源側熱交換器としての室外熱交換器２４（後述）において放熱した冷媒を室内の熱負荷を処理すること（すなわち、室内の熱負荷を輸送する加熱媒体としての室内空気等と熱交換させること）によって蒸発させる蒸発器として機能し、暖房運転時には、圧縮機構としての圧縮機２１（後述）において圧縮された冷媒を室内の熱負荷を処理すること（すなわち、室内の熱負荷を輸送する冷却媒体としての室内空気等と熱交換させること）によって放熱させる放熱器として機能することが可能な熱交換器である。室内熱交換器５１は、その液側が液冷媒連絡管６に接続され、そのガス側がガス冷媒連絡管７に接続されている。
【００４０】
また、室内ユニット５は、室内ユニット５を構成する各部の動作を制御する室内側制御部５２を有している。そして、室内側制御部５２は、室内ユニット５の制御を行うために設けられたマイクロコンピュータやメモリ等を有しており、室内ユニット５を個別に操作するためのリモコン（図示せず）との間で制御信号等のやりとりを行ったり、室外ユニット２との間で伝送線８ａを介して制御信号等のやりとりを行うことができるようになっている。
【００４１】
＜室外ユニット＞
室外ユニット２は、液冷媒連絡管６及びガス冷媒連絡管７を介して室内ユニット５に接続されており、室内ユニット５の間で冷媒回路１０を構成している。
【００４２】
室外ユニット２は、主として、冷媒回路１０の一部を構成する室外側冷媒回路１０ｂを有している。この室外側冷媒回路１０ｂは、主として、圧縮機構としての圧縮機２１と、油分離機構としての油分離器２２と、冷媒循環方向切換機構としての冷媒循環方向切換弁２３と、熱源側熱交換器としての室外熱交換器２４と、膨張機構としての室外膨張弁２５とを有している。
【００４３】
圧縮機２１は、冷媒を圧縮するために設けられた単段圧縮型の容積式圧縮機であり、主として、圧縮要素２１ａと、圧縮要素２１ａを駆動する圧縮機モータ２１ｂとを有している。圧縮要素２１ａは、ロータリ型やスクロール型の圧縮要素である。圧縮機モータ２１ｂは、インバータにより、運転周波数（すなわち、回転速度）が可変できるようになっている。
【００４４】
油分離器２２は、圧縮機２１において圧縮された冷媒中から冷凍機油を分離する機構であり、圧縮機２１の吐出と冷媒循環方向切換弁２３との間に設けられている。油分離器２２としては、種々の型式のものが使用可能であるが、本実施形態では、略円筒形状の密閉容器の下部に冷凍機油の出口が形成され、略円筒形状の密閉容器の上部に冷媒の出口が形成され、そして、冷凍機油の出口と冷媒の出口との中間部に圧縮機２１において圧縮された冷媒の入口が形成された型式が使用されている。
【００４５】
冷媒循環方向切換弁２３は、冷媒回路１０における冷媒の流れの方向を切り換えるために設けられた四路切換弁であり、冷房運転時には、室外熱交換器２４を圧縮機２１において圧縮された冷媒の放熱器として機能させ、かつ、室内熱交換器５１を室外熱交換器２４において放熱した冷媒の蒸発器として機能させる第１冷媒循環状態にするために、圧縮機２１の吐出と室外熱交換器２４のガス側端とを接続するとともに圧縮機２１の吸入とガス冷媒連絡管７とを接続し（図１の冷媒循環方向切換弁２３の実線を参照）、暖房運転時には、室内熱交換器５１を圧縮機２１において圧縮された冷媒の放熱器として機能させ、かつ、室外熱交換器２４を室内熱交換器５１において放熱した冷媒の蒸発器として機能させる第２冷媒循環状態にするために、圧縮機２１の吐出とガス冷媒連絡管７とを接続するとともに圧縮機２１の吸入と室外熱交換器２４のガス側とを接続することが可能である（図１の冷媒循環方向切換弁２３の破線を参照）。
【００４６】
室外熱交換器２４は、冷房運転時には、圧縮機２１において圧縮された冷媒を冷却媒体としての室外空気と熱交換させることによって放熱させる放熱器として機能し、暖房運転時には、室内熱交換器５１において放熱した冷媒を加熱媒体としての室外空気と熱交換させることによって蒸発させる蒸発器として機能することが可能な熱交換器である。室外熱交換器２４は、そのガス側が冷媒循環方向切換弁２３に接続され、その液側が室外膨張弁２５に接続されている。
【００４７】
室外膨張弁２５は、室外熱交換器２４と室内熱交換器５１との間を流れる冷媒の減圧等を行うために、室外熱交換器２４の液側に接続された電動膨張弁である。
【００４８】
また、室外ユニット２は、冷媒回路１０から分離される熱媒体が流れる熱媒体回路１１を有している。熱媒体回路１１は、油分離器２２において冷媒中から分離される冷凍機油が、冷媒回路１０から分離される熱媒体として循環する回路であり、主として、熱媒体循環管４１を有している。
【００４９】
熱媒体循環管４１は、その一端が油分離器２２の冷凍機油出口に接続され、その他端が冷媒回路１０の圧縮機２１と油分離器２２との間の位置に接続されており、主として、油分離器２２の冷凍機油出口から延びる第１熱媒体合流管４１ａと、第１熱媒体合流管４１ａを２つに分岐する第１及び第２熱媒体分岐管４１ｂ、４１ｃと、第１及び第２熱媒体分岐管４１ｂ、４１ｃを合流する第２熱媒体合流管４１ｄとを有している。
【００５０】
第１熱媒体分岐管４１ｂには、第１熱媒体冷却器４２が設けられている。
【００５１】
第１熱媒体冷却器４２は、冷媒回路１０から分離される冷凍機油を冷媒回路１０に起因しない冷却源によって冷却する冷却器である。ここで、「冷媒回路に起因しない冷却源」とは、室外空気や冷却水のような冷媒回路１０を流れる冷媒とは無関係に熱媒体を冷却する能力を有するものを意味し、第１熱媒体冷却器４２として、例えば、室外空気を冷媒回路１０に起因しない冷却源として用いて、第１熱媒体分岐管４１ｂを流れる冷凍機油を冷却する熱交換器を使用することができる。
【００５２】
第２熱媒体分岐管４１ｃには、第２熱媒体冷却器４３が設けられている。
【００５３】
第２熱媒体冷却器４３は、冷媒回路１０から分離される冷凍機油を冷媒回路１０に起因する冷却源によって冷却する冷却器である。ここで、「冷媒回路に起因する冷却源」とは、冷媒回路１０を流れる冷媒、及び、冷媒回路１０を流れる冷媒との熱交換によって熱媒体を冷却する能力を有するものを意味し、第２熱媒体冷却器４３として、例えば、熱源側熱交換器としての室外熱交換器２４内の冷媒を冷媒回路１０に起因する冷却源として用いて、第２熱媒体分岐管４１ｃを流れる冷凍機油を冷却する熱交換器に使用することができる。
【００５４】
第１熱媒体合流管４１ａと第１及び第２熱媒体分岐管４１ｂ、４１ｃとの分岐部には、熱媒体冷却器切換機構としての熱媒体冷却器切換弁４４が設けられており、冷房運転時（すなわち、冷媒循環方向切換弁２３が第１冷媒循環状態である場合）には、第１熱媒体分岐管４１ｂを第１熱媒体合流管４１ａに接続しかつ第２熱媒体分岐管４１ｃを第１熱媒体合流管４１ａに接続しない（ここでは、第２熱媒体分岐管４１ｃを熱媒体管４１ｅを介して圧縮機２１の吸入側に接続する）ようにして、第１熱媒体冷却器４２を使用する第１熱媒体冷却状態（図１の熱媒体冷却器切換弁４４の実線を参照）と、暖房運転時（すなわち、冷媒循環方向切換弁２３が第２冷媒循環状態である場合）には、第２熱媒体分岐管４１ｃを第１熱媒体合流管４１ａに接続しかつ第１熱媒体分岐管４１ｂを第１熱媒体合流管４１ａに接続しない（ここでは、第１熱媒体分岐管４１ｂを熱媒体管４１ｅを介して圧縮機２１の吸入側に接続する）ようにして、第２熱媒体冷却器４３を使用する第２油冷却状態（図１の熱媒体冷却器切換弁４４の破線を参照）とを切り換えることができるようになっている。
【００５５】
第１熱媒体分岐管４１ｂの第１熱媒体冷却器４２の出口側には、第１熱媒体合流管４１ａから第２熱媒体合流管４１ｄに向かう冷凍機油の流れのみを許容する第１逆止弁４５が設けられている。第２熱媒体分岐管４１ｃの第２熱媒体冷却器４３の出口側には、第１熱媒体合流管４１ａから第２熱媒体合流管４１ｄに向かう冷凍機油の流れのみを許容する第２逆止弁４６が設けられている。
【００５６】
第２熱媒体合流管４１ｄには、熱媒体ポンプ４７と圧縮機構冷却器４８とが設けられている。
【００５７】
熱媒体ポンプ４７は、熱媒体回路１１内の冷凍機油を循環させるポンプであり、主として、冷凍機油の昇圧を行う昇圧要素４７ａと、昇圧要素４７ａを駆動するポンプモータ４７ｂとを有している。ポンプモータ４７ｂは、インバータにより、運転周波数（すなわち、回転速度）が可変できるようになっている。
【００５８】
圧縮機構冷却器４８は、第１熱媒体冷却器４２又は第２熱媒体冷却器４３において冷却された冷凍機油によって圧縮機２１を流れる冷媒を冷却する冷却器である。本実施形態において、圧縮機構冷却器４８は、熱媒体ポンプ４７の下流側に設けられている。
【００５９】
さらに、室外ユニット２には、各種のセンサが設けられている。具体的には、室外ユニット２には、圧縮機２１の吸入温度を検出する吸入温度センサ２６と、圧縮機２１の吐出温度を検出する吐出温度センサ２７とが設けられている。本実施形態において、吸入温度センサ２６及び吐出温度センサ２７は、サーミスタからなる。また、室外ユニット２は、室外ユニット２を構成する各部の動作を制御する室外側制御部２８を有している。そして、室外側制御部２８は、室外ユニット２の制御を行うために設けられたマイクロコンピュータやメモリ等を有しており、室内ユニット５の室内側制御部５２との間で伝送線８ａを介して制御信号等のやりとりを行うことができるようになっている。すなわち、室内側制御部５２と室外側制御部２８と制御部２８、５２間を接続する伝送線８ａとによって、空気調和装置１全体の運転制御を行う制御部８が構成されている。
【００６０】
制御部８は、各種センサ２６、２７の検出信号等に基づいて各種機器２１（具体的には、圧縮機モータ２１ｂ）、２３、２５、４４、４７（具体的には、ポンプモータ４７ｂ）等を制御するようになっている。
【００６１】
＜冷媒連絡管＞
冷媒連絡管６、７は、空気調和装置１を設置場所に設置する際に、現地にて施工される冷媒管である。液冷媒連絡管６は、室外ユニット２及び室内ユニット５に接続されており、冷房運転時には、室外ユニット２を通過した冷媒を室内ユニット５に送り、暖房運転時には、室内ユニット５を通過した冷媒を室外ユニット２に送る冷媒管である。ガス冷媒連絡管７は、室外ユニット２及び室内ユニット５に接続されており、冷房運転時には、室内ユニット５を通過した冷媒を室外ユニット２に送り、暖房運転時には、室外ユニット２を通過した冷媒を室内ユニット５に送る冷媒管である。
【００６２】
（２）空気調和装置の動作
次に、本実施形態の空気調和装置１の動作について、図１を用いて説明する。
【００６３】
＜冷房運転＞
冷房運転時は、冷媒循環方向切換機構としての冷媒循環方向切換弁２３が図１の実線で示される第１冷媒循環状態とされる。膨張機構としての室外膨張弁２５は、開度調節される。また、熱媒体冷却器切換機構としての熱媒体冷却器切換弁４４が図１の実線で示される第１熱媒体冷却状態とされる。
【００６４】
この冷媒回路１０及び熱媒体回路１１の状態において、冷凍サイクルにおける低圧の冷媒は、圧縮機構としての圧縮機２１に吸入されて、圧縮要素２１ａによって冷媒の臨界圧力よりも高い圧力まで圧縮されて、冷凍サイクルにおける高圧の冷媒として吐出される。この圧縮機２１から吐出された高圧の冷媒は、油分離機構としての油分離器２２に送られる。この高圧の冷媒は、油分離器２２において冷凍機油が分離される。冷凍機油が分離された後の高圧の冷媒は、冷媒出口から冷媒循環方向切換弁２３を通じて熱源側熱交換器としての室外熱交換器２４に送られ、冷却媒体としての室外空気と熱交換を行うことによって放熱する。この室外熱交換器２４において放熱した高圧の冷媒は、室外膨張弁２５によって減圧されて、冷凍サイクルにおける低圧の気液二相状態の冷媒となる。この低圧の気液二相状態の冷媒は、液冷媒連絡管６を通じて室外ユニット２から室内ユニット５に送られる。この室内ユニット５に送られた冷媒は、利用側熱交換器としての室内熱交換器５１に送られ、加熱媒体としての室内空気等と熱交換を行うことによって蒸発する。この室内熱交換器５１において蒸発した低圧の冷媒は、ガス冷媒連絡管７を通じて室内ユニット５から室外ユニット２に送られる。この室外ユニット２に送られた低圧の冷媒は、冷媒循環方向切換弁２３を通じて圧縮機２１に再び吸入される。
【００６５】
このような冷房運転時において、油分離器２２において分離された冷凍機油は、冷媒回路１０から分離される熱媒体として、熱媒体回路１１に流入する。そして、この熱媒体回路１１に流入した冷凍機油は、第１熱媒体冷却器４２において、冷媒回路１０に起因しない冷却源としての室外空気によって冷却され、熱媒体ポンプ４７によって昇圧されて、圧縮機構冷却器４８に送られる。この圧縮機構冷却器４８に送られた冷凍機油は、圧縮機構冷却器４８において圧縮機２１を流れる冷媒を冷却した後に、冷媒回路１０の圧縮機２１と油分離器２２との間の位置に戻される。これにより、圧縮機２１では、圧縮行程中の冷媒が冷却されて、圧縮機２１内の圧縮行程が等温圧縮に近づくようになり、圧縮動力を小さくすることができる。
【００６６】
また、このとき、吸入温度センサ２６及び吐出温度センサ２７によって検出される圧縮機２１の吸入温度及び吐出温度に基づいて熱媒体ポンプ４７の運転容量を制御（ここでは、ポンプモータ４７ｂの運転周波数を制御）することによって、圧縮行程中の冷媒の冷却度合いを調節するようにしてもよい。例えば、圧縮機２１の吐出温度から吸入温度を差し引いた温度差が所定温度差以上になった場合には、ポンプモータ４７ｂの運転周波数を増加させることで、熱媒体回路１１を循環する冷凍機油の流量を増加させて、圧縮行程中の冷媒の冷却を確実に促進することができる。
【００６７】
＜暖房運転時＞
暖房運転時は、冷媒循環方向切換弁２３が図１の破線で示される第２冷媒循環状態とされる。室外膨張弁２５は、開度調節される。熱媒体冷却器切換弁４４が図１の破線で示される第２熱媒体冷却状態とされる。
【００６８】
この冷媒回路１０及び熱媒体回路１１の状態において、冷凍サイクルにおける低圧の冷媒は、圧縮機２１に吸入されて、圧縮要素２１ａによって冷媒の臨界圧力よりも高い圧力まで圧縮されて、冷凍サイクルにおける高圧の冷媒として吐出される。この圧縮機２１から吐出された高圧の冷媒は、油分離器２２に送られる。この高圧の冷媒は、油分離器２２において冷凍機油が分離される。冷凍機油が分離された後の高圧の冷媒は、冷媒出口から冷媒循環方向切換弁２３及びガス冷媒連絡管７を通じて室外ユニット２から室内ユニット５に送られる。この室内ユニット５に送られた冷媒は、室内熱交換器５１において冷却媒体としての室内空気等と熱交換を行うことによって放熱する。この室内交換器５１において放熱した高圧の冷媒は、液冷媒連絡管６を通じて室内ユニット５から室外ユニット２に送られる。この室外ユニット２に送られた冷媒は、室外膨張弁２５において減圧されて、冷凍サイクルにおける低圧の気液二相状態の冷媒となる。この室外膨張弁２５において低圧になった冷媒は、室外熱交換器２４に送られ、加熱媒体としての室外空気と熱交換を行うことによって蒸発する。また、室外熱交換器２４内の冷媒は、後述のように、第２熱媒体冷却器４３において、熱媒体回路１１を流れる冷凍機油によって加熱される。この室外熱交換器２４において蒸発し、また、第２熱媒体冷却器４３において加熱された低圧の冷媒は、冷媒循環方向切換弁２３を通じて圧縮機２１に再び吸入される。
【００６９】
このような暖房運転時において、油分離器２２において分離された冷凍機油は、冷媒回路１０から分離される熱媒体として、熱媒体回路１１に流入する。そして、この熱媒体回路１１に流入した冷凍機油は、第２熱媒体冷却器４３において、冷媒回路１０に起因する冷却源としての室外熱交換器２４内の冷媒によって冷却され、熱媒体ポンプ４７によって昇圧されて、圧縮機構冷却器４８に送られる。この圧縮機構冷却器４８に送られた冷凍機油は、圧縮機構冷却器４８において圧縮機２１を流れる冷媒を冷却した後に、冷媒回路１０の圧縮機２１と油分離器２２との間の位置に戻される。これにより、圧縮機２１では、圧縮行程中の冷媒が冷却されて、圧縮機２１内の圧縮行程が等温圧縮に近づくようになり、圧縮動力を小さくすることができる。しかも、上述のように、室外熱交換器２４内の冷媒は、第２熱媒体冷却器４３において、熱媒体回路１１を流れる冷凍機油によって加熱されるため、圧縮仕事で生じた熱を室外熱交換器２４における蒸発負荷を小さくすることに利用していることになる。
【００７０】
また、このとき、冷房運転時と同様に、吸入温度センサ２６及び吐出温度センサ２７によって検出される圧縮機２１の吸入温度及び吐出温度に基づいて熱媒体ポンプ４７の運転容量を制御（ここでは、ポンプモータ４７ｂの運転周波数を制御）することによって、圧縮行程中の冷媒の冷却度合いを調節するようにしてもよい。例えば、圧縮機２１の吐出温度から吸入温度を差し引いた温度差が所定温度差以上になった場合には、ポンプモータ４７ｂの運転周波数を増加させることで、熱媒体回路１１を循環する冷凍機油の流量を増加させて、圧縮行程中の冷媒の冷却を確実に促進することができる。
【００７１】
（３）空気調和装置の特徴
本実施形態の空気調和装置１には、以下のような特徴がある。
【００７２】
＜Ａ＞
本実施形態の空気調和装置１では、冷媒循環方向切換機構としての冷媒循環方向切換弁２３が第１冷媒循環状態である場合には、圧縮機構としての圧縮機２１において圧縮された冷媒は、主として、熱源側熱交換器としての室外熱交換器２４及び利用側熱交換器としての室内熱交換器５１の順に冷媒回路１０内を循環し、油分離機構としての油分離器２２において分離された冷媒回路１０から分離される熱媒体としての冷凍機油は、熱媒体冷却器切換機構としての熱媒体冷却器切換弁４４が第１熱媒体冷却状態になるため、第１熱媒体冷却器４２において、冷媒回路１０に起因しない冷却源によって冷却された後に、圧縮機構冷却器４８において、圧縮機２１を流れる冷媒を冷却するように熱媒体回路１１を循環する。また、冷媒循環方向切換弁２３が第２冷媒循環状態である場合には、圧縮機２１において圧縮された冷媒は、主として、室内熱交換器５１及び室外熱交換器２４の順に冷媒回路１０内を循環し、油分離器２２において分離された冷凍機油は、熱媒体冷却器切換弁４４が第２熱媒体冷却状態になるため、第２熱媒体冷却器４３において、冷媒回路１０に起因する冷却源（ここでは、室外熱交換器２４内の冷媒）によって冷却された後に、圧縮機構冷却器４８において、圧縮機２１を流れる冷媒を冷却するように熱媒体回路１１を循環する。すなわち、冷媒循環方向切換弁２３が第２冷媒循環状態である場合には、加熱能力が必要とされるところ、冷媒循環方向切換弁２３が第１冷媒循環状態である場合と同様に、油分離器２２において分離された冷凍機油を冷媒回路１０に起因しない冷却源によって冷却すると、単に室外に放熱する等のように放熱ロスとなってしまうが、この空気調和装置１では、冷媒循環方向切換弁２３が第２冷媒循環状態である場合には、油分離器２２において分離された冷凍機油を冷媒回路１０に起因する冷却源によって冷却し、放熱ロスが生じるのを抑えることができる。
【００７３】
これにより、本実施形態の空気調和装置１では、冷媒循環方向切換弁２３が第２冷媒循環状態である場合においても、圧縮機２１の圧縮行程中の冷媒を冷却しながら、圧縮仕事で生じた熱を有効に利用することができる。
【００７４】
特に、本実施形態の空気調和装置１では、第２熱媒体冷却器４３において、冷媒回路１０に起因する冷却源として、室外熱交換器２４内の冷媒を使用しているため、室外熱交換器２４内の冷媒が加熱されて、室外熱交換器２４における蒸発負荷を小さくすることが可能になるという利点がある。
【００７５】
＜Ｂ＞
本実施形態の空気調和装置１では、油分離器２２において分離された冷凍機油を圧縮機２１と油分離器２２との間に戻すように熱媒体回路１１を循環させているため、冷媒回路１０の圧縮機２１から離れた部分に冷凍機油が分布しにくくなり、熱媒体回路１１を循環する冷凍機油の流量が安定し、これにより、安定した圧縮機構冷却器４８の冷却能力を得ることができる。
【００７６】
（４）変形例１
上述の実施形態において、圧縮機構としての圧縮機２１に圧縮機構冷却器４８を組み込むようにしてもよい。
【００７７】
例えば、圧縮機２１の圧縮要素２１ａをスクロール型の圧縮要素とする場合には、図２〜図４に示されるような構造を採用することができる。ここで、図２は、圧縮機構冷却器４８が組み込まれた圧縮機２１の圧縮要素２１ａ付近を示す縦断面図であり、図３は、図２のＩ−Ｉ断面図であり、図４は、図２のＩＩ−ＩＩ断面図である。
【００７８】
圧縮要素２１ａは、圧縮機２１のケーシング（図示せず）の内部に収容されており、主として、可動スクロール６１と、可動スクロール６１に噛合する固定スクロール６２とを有している。可動スクロール６１の鏡板６１ａの内部及び鏡板６１ａに立設するラップ６１ｂの内部には、両スクロール６１、６２によって形成された圧縮室６３に隣接するように熱媒体流路６４が形成されている。また、固定スクロール６２の鏡板６２ａの内部及び鏡板６２ａに立設するラップ６２ｂの内部にも圧縮室６３に隣接するように熱媒体流路６５が形成されている。そして、熱媒体流路６４、６５は、第２熱媒体合流管４１ｄの熱媒体ポンプ４７の吐出側の部分に接続されることで、圧縮機構冷却器４８を構成している。尚、ここでは、圧縮機構冷却器４８を構成する熱媒体流路がスクロール６１、６２の両方に形成されているが、例えば、固定スクロール６２のみに形成する等のように、スクロール６１、６２の一方に形成するようにしてもよい。
【００７９】
これにより、本変形例の空気調和装置１では、圧縮要素２１ａ内において圧縮行程中にある冷媒の冷却を確実に行うことができる。
【００８０】
（５）変形例２
上述の実施形態及び変形例１では、冷媒循環方向切換機構としての冷媒循環方向切換弁２３が第２冷媒循環状態である場合においても、圧縮機構としての圧縮機２１の圧縮行程中の冷媒を冷却しながら、圧縮仕事で生じた熱を有効に利用できるようにするために、第２熱媒体冷却器４３において、冷媒回路１０に起因する冷却源として、熱源側熱交換器としての室外熱交換器２４内の冷媒を使用しているが、これに代えて、室外熱交換器２４と圧縮機２１の間を流れる冷媒を使用してもよい。
【００８１】
例えば、図５に示されるように、第２熱媒体冷却器４３を、冷媒循環方向切換弁２３と圧縮機２１の吸入側とを接続する吸入管２９に設けることができる。
【００８２】
次に、図５を用いて、本変形例の動作について説明する。
【００８３】
冷房運転時は、冷媒循環方向切換弁２３が図５の実線で示される第１冷媒循環状態とされる。膨張機構としての室外膨張弁２５は、開度調節される。また、熱媒体冷却器切換機構としての熱媒体冷却器切換弁４４が図５の実線で示される第１熱媒体冷却状態とされ、この冷媒回路１０及び熱媒体回路１１の状態において、上述の実施形態及び変形例１と同様の動作が行われる（ここでは、冷房運転時の動作の詳細な説明を省略する）。
【００８４】
暖房運転時は、冷媒循環方向切換弁２３が図５の破線で示される第２冷媒循環状態とされる。室外膨張弁２５は、開度調節される。熱媒体冷却器切換弁４４が図５の破線で示される第２熱媒体冷却状態とされる。
【００８５】
この冷媒回路１０及び熱媒体回路１１の状態において、冷凍サイクルにおける低圧の冷媒は、圧縮機２１に吸入されて、圧縮要素２１ａによって冷媒の臨界圧力よりも高い圧力まで圧縮されて、冷凍サイクルにおける高圧の冷媒として吐出される。この圧縮機２１から吐出された高圧の冷媒は、油分離器２２に送られる。この高圧の冷媒は、油分離器２２において冷凍機油が分離される。冷凍機油が分離された後の高圧の冷媒は、冷媒出口から冷媒循環方向切換弁２３及びガス冷媒連絡管７を通じて室外ユニット２から室内ユニット５に送られる。この室内ユニット５に送られた冷媒は、室内熱交換器５１において冷却媒体としての室内空気等と熱交換を行うことによって放熱する。この室内交換器５１において放熱した高圧の冷媒は、液冷媒連絡管６を通じて室内ユニット５から室外ユニット２に送られる。この室外ユニット２に送られた冷媒は、室外膨張弁２５において減圧されて、冷凍サイクルにおける低圧の気液二相状態の冷媒となる。この室外膨張弁２５において低圧になった冷媒は、室外熱交換器２４に送られ、加熱媒体としての室外空気と熱交換を行うことによって蒸発する。この室外熱交換器２４において蒸発した低圧の冷媒は、冷媒循環方向切換弁２３を通じて吸入管２９に送られ、第２熱媒体冷却器４３において加熱された後に、圧縮機２１に再び吸入される。
【００８６】
このような暖房運転時において、油分離器２２において分離された冷凍機油は、冷媒回路１０から分離される熱媒体として、熱媒体回路１１に流入する。そして、この熱媒体回路１１に流入した冷凍機油は、第２熱媒体冷却器４３において、冷媒回路１０に起因する冷却源としての室外熱交換器２４と圧縮機２１の間を流れる冷媒によって冷却され、熱媒体ポンプ４７によって昇圧されて、圧縮機構冷却器４８に送られる。この圧縮機構冷却器４８に送られた冷凍機油は、圧縮機構冷却器４８において圧縮機２１を流れる冷媒を冷却した後に、冷媒回路１０の圧縮機２１と油分離器２２との間の位置に戻される。これにより、圧縮機２１では、圧縮行程中の冷媒が冷却されて、圧縮機２１内の圧縮行程が等温圧縮に近づくようになり、圧縮動力を小さくすることができる。
【００８７】
このように、本変形例の空気調和装置１では、上述の実施形態及び変形例１と同様に、冷媒循環方向切換弁２３が第２冷媒循環状態である場合には、加熱能力が必要とされるところ、冷媒循環方向切換弁２３が第１冷媒循環状態である場合と同様に、油分離器２２において分離された冷凍機油を冷媒回路１０に起因しない冷却源によって冷却すると、単に室外に放熱する等のように放熱ロスとなってしまうが、この空気調和装置１では、冷媒循環方向切換弁２３が第２冷媒循環状態である場合には、油分離器２２において分離された冷凍機油を冷媒回路１０に起因する冷却源（ここでは、室外熱交換器２４と圧縮機２１の間を流れる冷媒）によって冷却し、放熱ロスが生じるのを抑えることができ、これにより、冷媒循環方向切換弁２３が第２冷媒循環状態である場合においても、圧縮機２１の圧縮行程中の冷媒を冷却しながら、圧縮仕事で生じた熱を有効に利用することができる。
【００８８】
（６）変形例３
上述の実施形態及び変形例１では、冷媒循環方向切換機構としての冷媒循環方向切換弁２３が第２冷媒循環状態である場合においても、圧縮機構としての圧縮機２１の圧縮行程中の冷媒を冷却しながら、圧縮仕事で生じた熱を有効に利用できるようにするために、第２熱媒体冷却器４３において、冷媒回路１０に起因する冷却源として、熱源側熱交換器としての室外熱交換器２４内の冷媒を使用しているが、これに代えて、室外熱交換器２４において発生するドレン水（すなわち、室外熱交換器２４における室外空気と冷媒との熱交換の際に、室外空気中の水分が結露することによって発生するドレン水）を使用してもよい。
【００８９】
例えば、図６に示されるように、第２熱媒体冷却器４３を、室外熱交換器２４の下部に一体に設けたり、室外熱交換器２４において発生するドレン水を受けるドレンパン３０に設けて、室外熱交換器２４において発生するドレン水が供給されるようにすることができる。
【００９０】
次に、図６を用いて、本変形例の動作について説明する。
【００９１】
冷房運転時は、冷媒循環方向切換弁２３が図６の実線で示される第１冷媒循環状態とされる。膨張機構としての室外膨張弁２５は、開度調節される。また、熱媒体冷却器切換機構としての熱媒体冷却器切換弁４４が図６の実線で示される第１熱媒体冷却状態とされ、この冷媒回路１０及び熱媒体回路１１の状態において、上述の実施形態及び変形例１と同様の動作が行われる（ここでは、冷房運転時の動作の詳細な説明を省略する）。
【００９２】
暖房運転時は、冷媒循環方向切換弁２３が図６の破線で示される第２冷媒循環状態とされる。室外膨張弁２５は、開度調節される。熱媒体冷却器切換弁４４が図６の破線で示される第２熱媒体冷却状態とされる。
【００９３】
この冷媒回路１０及び熱媒体回路１１の状態において、冷凍サイクルにおける低圧の冷媒は、圧縮機２１に吸入されて、圧縮要素２１ａによって冷媒の臨界圧力よりも高い圧力まで圧縮されて、冷凍サイクルにおける高圧の冷媒として吐出される。この圧縮機２１から吐出された高圧の冷媒は、油分離器２２に送られる。この高圧の冷媒は、油分離器２２において冷凍機油が分離される。冷凍機油が分離された後の高圧の冷媒は、冷媒出口から冷媒循環方向切換弁２３及びガス冷媒連絡管７を通じて室外ユニット２から室内ユニット５に送られる。この室内ユニット５に送られた冷媒は、室内熱交換器５１において冷却媒体としての室内空気等と熱交換を行うことによって放熱する。この室内交換器５１において放熱した高圧の冷媒は、液冷媒連絡管６を通じて室内ユニット５から室外ユニット２に送られる。この室外ユニット２に送られた冷媒は、室外膨張弁２５において減圧されて、冷凍サイクルにおける低圧の気液二相状態の冷媒となる。この室外膨張弁２５において低圧になった冷媒は、室外熱交換器２４に送られ、加熱媒体としての室外空気と熱交換を行うことによって蒸発する。この室外熱交換器２４において蒸発した低圧の冷媒は、冷媒循環方向切換弁２３を通じて圧縮機２１に再び吸入される。
【００９４】
このような暖房運転時において、油分離器２２において分離された冷凍機油は、冷媒回路１０から分離される熱媒体として、熱媒体回路１１に流入する。そして、この熱媒体回路１１に流入した冷凍機油は、第２熱媒体冷却器４３において、冷媒回路１０に起因する冷却源としての室外熱交換器２４において発生するドレン水によって冷却され、熱媒体ポンプ４７によって昇圧されて、圧縮機構冷却器４８に送られる。この圧縮機構冷却器４８に送られた冷凍機油は、圧縮機構冷却器４８において圧縮機２１を流れる冷媒を冷却した後に、冷媒回路１０の圧縮機２１と油分離器２２との間の位置に戻される。これにより、圧縮機２１では、圧縮行程中の冷媒が冷却されて、圧縮機２１内の圧縮行程が等温圧縮に近づくようになり、圧縮動力を小さくすることができる。しかも、室外熱交換器２４において発生したドレン水は、第２熱媒体冷却器４３において、熱媒体回路１１を流れる冷凍機油によって加熱されるため、圧縮仕事で生じた熱を、室外熱交換器２４やそのドレンパン３０におけるドレン水の凍結防止や結晶成長を抑制することに利用していることになる。
【００９５】
このように、本変形例の空気調和装置１では、上述の実施形態及び変形例１と同様に、冷媒循環方向切換弁２３が第２冷媒循環状態である場合には、加熱能力が必要とされるところ、冷媒循環方向切換弁２３が第１冷媒循環状態である場合と同様に、油分離器２２において分離された冷凍機油を冷媒回路１０に起因しない冷却源によって冷却すると、単に室外に放熱する等のように放熱ロスとなってしまうが、この空気調和装置１では、冷媒循環方向切換弁２３が第２冷媒循環状態である場合には、油分離器２２において分離された冷凍機油を冷媒回路１０に起因する冷却源（ここでは、室外熱交換器２４において発生するドレン水）によって冷却し、放熱ロスが生じるのを抑えることができ、これにより、冷媒循環方向切換弁２３が第２冷媒循環状態である場合においても、圧縮機２１の圧縮行程中の冷媒を冷却しながら、圧縮仕事で生じた熱を有効に利用することができる。特に、本変形例の空気調和装置１では、第２熱媒体冷却器４３において、冷媒回路１０に起因する冷却源として、室外熱交換器２４において発生するドレン水を使用しているため、加熱されたドレン水の熱によって、室外熱交換器２４やそのドレンパン３０におけるドレン水の凍結防止や結晶成長を抑制することが可能になるという利点がある。
【００９６】
（７）変形例４
上述の実施形態及び変形例１では、冷媒循環方向切換機構としての冷媒循環方向切換弁２３が第２冷媒循環状態である場合においても、圧縮機構としての圧縮機２１の圧縮行程中の冷媒を冷却しながら、圧縮仕事で生じた熱を有効に利用できるようにするために、第２熱媒体冷却器４３において、冷媒回路１０に起因する冷却源として、熱源側熱交換器としての室外熱交換器２４内の冷媒を使用しているが、これに代えて、蓄熱材を使用してもよい。
【００９７】
例えば、図７に示されるように、第２熱媒体冷却器４３を、蓄熱材４３ａによって冷凍機油を冷却する熱交換器とすることができる。この第２熱媒体冷却器４３は、蓄熱材４３ａに蓄えられた熱によって室外熱交換器２４と圧縮機２１との間を流れる冷媒（ここでは、冷媒循環方向切換弁２３と圧縮機２１の吸入側とを接続する吸入管２９を流れる冷媒）を加熱することができるように構成されている。すなわち、第２熱媒体冷却器４３は、第２熱媒体分岐管４１ｃを流れる冷凍機油が通過する流路と、吸入管２９を流れる冷媒が通過する流路との間に蓄熱材４３ａが介在した構造を有している。また、吸入管２９には、第２熱媒体冷却器４３をバイパスするバイパス冷媒管３１が設けられている。そして、このバイパス冷媒管３１には、バイパス冷媒管３１への冷媒の流入を制御するバイパス弁３２が設けられており、また、吸入管２９には、第２熱媒体冷却器４３への冷媒の流入を制御するデフロスト弁３３が設けられている。
【００９８】
次に、図７を用いて、本変形例の動作について説明する。
【００９９】
冷房運転時は、冷媒循環方向切換弁２３が図７の実線で示される第１冷媒循環状態とされる。膨張機構としての室外膨張弁２５は、開度調節される。また、熱媒体冷却器切換機構としての熱媒体冷却器切換弁４４が図７の実線で示される第１熱媒体冷却状態とされ、この冷媒回路１０及び熱媒体回路１１の状態において、上述の実施形態及び変形例１と同様の動作が行われる（ここでは、冷房運転時の動作の詳細な説明を省略する）。
【０１００】
暖房運転時は、冷媒循環方向切換弁２３が図７の破線で示される第２冷媒循環状態とされる。室外膨張弁２５は、開度調節される。熱媒体冷却器切換弁４４が図７の破線で示される第２熱媒体冷却状態とされる。また、バイパス弁３２は、開状態とされ、デフロスト弁３３は、閉状態とされており、吸入管２９を流れる冷媒と蓄熱材４３ａとの熱交換は行われない状態になっている。
【０１０１】
この冷媒回路１０及び熱媒体回路１１の状態において、冷凍サイクルにおける低圧の冷媒は、圧縮機２１に吸入されて、圧縮要素２１ａによって冷媒の臨界圧力よりも高い圧力まで圧縮されて、冷凍サイクルにおける高圧の冷媒として吐出される。この圧縮機２１から吐出された高圧の冷媒は、油分離器２２に送られる。この高圧の冷媒は、油分離器２２において冷凍機油が分離される。冷凍機油が分離された後の高圧の冷媒は、冷媒出口から冷媒循環方向切換弁２３及びガス冷媒連絡管７を通じて室外ユニット２から室内ユニット５に送られる。この室内ユニット５に送られた冷媒は、室内熱交換器５１において冷却媒体としての室内空気等と熱交換を行うことによって放熱する。この室内交換器５１において放熱した高圧の冷媒は、液冷媒連絡管６を通じて室内ユニット５から室外ユニット２に送られる。この室外ユニット２に送られた冷媒は、室外膨張弁２５において減圧されて、冷凍サイクルにおける低圧の気液二相状態の冷媒となる。この室外膨張弁２５において低圧になった冷媒は、室外熱交換器２４に送られ、加熱媒体としての室外空気と熱交換を行うことによって蒸発する。この室外熱交換器２４において蒸発した低圧の冷媒は、冷媒循環方向切換弁２３及びバイパス冷媒管３１を通じて圧縮機２１に再び吸入される。
【０１０２】
このような暖房運転時において、油分離器２２において分離された冷凍機油は、冷媒回路１０から分離される熱媒体として、熱媒体回路１１に流入する。そして、この熱媒体回路１１に流入した冷凍機油は、第２熱媒体冷却器４３において、冷媒回路１０に起因する冷却源としての蓄熱材４３ａによって冷却され、熱媒体ポンプ４７によって昇圧されて、圧縮機構冷却器４８に送られる。この圧縮機構冷却器４８に送られた冷凍機油は、圧縮機構冷却器４８において圧縮機２１を流れる冷媒を冷却した後に、冷媒回路１０の圧縮機２１と油分離器２２との間の位置に戻される。これにより、圧縮機２１では、圧縮行程中の冷媒が冷却されて、圧縮機２１内の圧縮行程が等温圧縮に近づくようになり、圧縮動力を小さくすることができる。しかも、第２熱媒体冷却器４３の蓄熱材４３ａは、熱媒体回路１１を流れる冷凍機油によって加熱されるため、圧縮仕事で生じた熱を蓄えることになり、室外熱交換器２４の除霜用の熱源として利用されることになる。具体的には、室外熱交換器２４の着霜が生じた際には、一時的に、冷媒循環方向切換弁２３を第１冷媒循環状態に切り換えることで、冷房運転と同様の運転を行い、室外熱交換器２４に圧縮機２１から吐出される高温高圧の冷媒を通過させて、除霜運転を行うが、この際に、バイパス弁３２を閉止し、かつ、デフロスト弁３３を開けることで、吸入管２９を流れる冷媒を蓄熱材４３ａによって加熱することで、圧縮機２１から吐出される冷媒の温度をできる限り高温にして、室外熱交換器２４の除霜を促進することができる。
【０１０３】
このように、本変形例の空気調和装置１では、上述の実施形態及び変形例１と同様に、冷媒循環方向切換弁２３が第２冷媒循環状態である場合には、加熱能力が必要とされるところ、冷媒循環方向切換弁２３が第１冷媒循環状態である場合と同様に、油分離器２２において分離された冷凍機油を冷媒回路１０に起因しない冷却源によって冷却すると、単に室外に放熱する等のように放熱ロスとなってしまうが、この空気調和装置１では、冷媒循環方向切換弁２３が第２冷媒循環状態である場合には、油分離器２２において分離された冷凍機油を冷媒回路１０に起因する冷却源（ここでは、蓄熱材４３ａ）によって冷却し、放熱ロスが生じるのを抑えることができ、これにより、冷媒循環方向切換弁２３が第２冷媒循環状態である場合においても、圧縮機２１の圧縮行程中の冷媒を冷却しながら、圧縮仕事で生じた熱を有効に利用することができる。特に、本変形例の空気調和装置１では、冷媒回路１０に起因する冷却源として、蓄熱材４３ａを使用しているため、蓄熱材４３ａに蓄えられた熱によって、室外熱交換器２４の除霜用の熱源として使用することが可能になるという利点がある。
【０１０４】
（８）変形例５
上述の実施形態及び変形例１では、圧縮機構冷却器４８の冷却源として、油分離機構２２において分離された冷凍機油のような冷媒回路１０から分離される熱媒体を使用しているが、これに代えて、冷媒回路１０を流れる冷媒とは別の熱媒体を使用してもよい。
【０１０５】
例えば、図８に示されるように、上述の実施形態における冷媒回路１０に接続された熱媒体回路１１に代えて、冷媒回路１０を流れる冷媒とは別の熱媒体が循環する閉回路からなる熱媒体回路１１１を採用することができる。この熱媒体回路１１１は、冷媒回路１０と接続されておらず、かつ、熱媒体管４１ｅが第２熱媒体分岐管４１ｃ（ここでは、第２熱媒体分岐管４１ｃの第２熱媒体冷却器４３と第２逆止弁４６との間の部分）に接続されていることを除いては、上述の実施形態及び変形例１の熱媒体回路１１と同様の構成を有している。尚、熱媒体回路１１１は、冷媒回路１０との接続がない独立した閉回路であることから、熱媒体としては、例えば、冷媒や油、水等のような種々の媒体を使用することが可能である。また、本変形例では、油分離器２２の油出口は、キャピラリチューブ３４を通じて圧縮機２１の吸入側に接続されている。
【０１０６】
このような本変形例の空気調和装置１においては、上述の実施形態及び変形例１とは異なり、冷媒回路１０から独立して熱媒体が熱媒体回路１１１内を循環するという違いはあるものの、冷房運転時（すなわち、冷媒循環方向切換機構としての冷媒循環方向切換弁２３が第１冷媒循環状態である場合）には、熱媒体は、熱媒体冷却器切換機構としての熱媒体冷却器切換弁４４が第１熱媒体冷却状態になるため、第１熱媒体冷却器４２において、冷媒回路１０に起因しない冷却源によって冷却された後に、圧縮機構冷却器４８において、圧縮機２１を流れる冷媒を冷却するように熱媒体回路１１１を循環し、また、暖房運転時（すなわち、冷媒循環方向切換弁２３が第２冷媒循環状態である場合）には、熱媒体は、熱媒体冷却器切換弁４４が第２熱媒体冷却状態になるため、第２熱媒体冷却器４３において、冷媒回路１０に起因する冷却源（ここでは、室外熱交換器２４内の冷媒）によって冷却された後に、圧縮機構冷却器４８において、圧縮機２１を流れる冷媒を冷却するように熱媒体回路１１を循環することになる。
【０１０７】
これにより、本変形例の空気調和装置１では、上述の実施形態及び変形例１と同様に、冷媒循環方向切換弁２３が第２冷媒循環状態である場合においても、圧縮機２１の圧縮行程中の冷媒を冷却しながら、圧縮仕事で生じた熱を有効に利用することができる。しかも、本変形例の空気調和装置１では、熱媒体回路１１１が冷媒回路１０を流れる冷媒とは別の熱媒体が循環する閉回路であるため、熱媒体回路１１１を循環する熱媒体の流量が安定し、これにより、安定した圧縮機構冷却器４８の冷却能力を得ることができる。
【０１０８】
（９）変形例６
上述の変形例２では、圧縮機構冷却器４８の冷却源として、油分離機構２２において分離された冷凍機油のような冷媒回路１０から分離される熱媒体を使用しているが、これに代えて、冷媒回路１０を流れる冷媒とは別の熱媒体を使用してもよい。
【０１０９】
例えば、図９に示されるように、上述の変形例２における冷媒回路１０に接続された熱媒体回路１１に代えて、冷媒回路１０を流れる冷媒とは別の熱媒体が循環する閉回路からなる熱媒体回路１１１を採用することができる。この熱媒体回路１１１は、冷媒回路１０と接続されておらず、かつ、熱媒体管４１ｅが第２熱媒体分岐管４１ｃ（ここでは、第２熱媒体分岐管４１ｃの第２熱媒体冷却器４３と第２逆止弁４６との間の部分）に接続されていることを除いては、上述の変形例２の熱媒体回路１１と同様の構成を有している。尚、熱媒体回路１１１は、冷媒回路１０との接続がない独立した閉回路であることから、熱媒体としては、例えば、冷媒や油、水等のような種々の媒体を使用することが可能である。また、本変形例では、油分離器２２の油出口は、キャピラリチューブ３４を通じて圧縮機２１の吸入側に接続されている。
【０１１０】
このような本変形例の空気調和装置１においては、上述の変形例２とは異なり、冷媒回路１０から独立して熱媒体が熱媒体回路１１１内を循環するという違いはあるものの、冷房運転時（すなわち、冷媒循環方向切換機構としての冷媒循環方向切換弁２３が第１冷媒循環状態である場合）には、熱媒体は、熱媒体冷却器切換機構としての熱媒体冷却器切換弁４４が第１熱媒体冷却状態になるため、第１熱媒体冷却器４２において、冷媒回路１０に起因しない冷却源によって冷却された後に、圧縮機構冷却器４８において、圧縮機２１を流れる冷媒を冷却するように熱媒体回路１１１を循環し、また、暖房運転時（すなわち、冷媒循環方向切換弁２３が第２冷媒循環状態である場合）には、熱媒体は、熱媒体冷却器切換弁４４が第２熱媒体冷却状態になるため、第２熱媒体冷却器４３において、冷媒回路１０に起因する冷却源（ここでは、室外熱交換器２４と圧縮機２１の間を流れる冷媒）によって冷却された後に、圧縮機構冷却器４８において、圧縮機２１を流れる冷媒を冷却するように熱媒体回路１１を循環することになる。
【０１１１】
これにより、本変形例の空気調和装置１では、上述の変形例２と同様に、冷媒循環方向切換弁２３が第２冷媒循環状態である場合においても、圧縮機２１の圧縮行程中の冷媒を冷却しながら、圧縮仕事で生じた熱を有効に利用することができる。しかも、本変形例の空気調和装置１では、熱媒体回路１１１が冷媒回路１０を流れる冷媒とは別の熱媒体が循環する閉回路であるため、熱媒体回路１１１を循環する熱媒体の流量が安定し、これにより、安定した圧縮機構冷却器４８の冷却能力を得ることができる。
【０１１２】
（１０）変形例７
上述の変形例３では、圧縮機構冷却器４８の冷却源として、油分離機構２２において分離された冷凍機油のような冷媒回路１０から分離される熱媒体を使用しているが、これに代えて、冷媒回路１０を流れる冷媒とは別の熱媒体を使用してもよい。
【０１１３】
例えば、図１０に示されるように、上述の変形例３における冷媒回路１０に接続された熱媒体回路１１に代えて、冷媒回路１０を流れる冷媒とは別の熱媒体が循環する閉回路からなる熱媒体回路１１１を採用することができる。この熱媒体回路１１１は、冷媒回路１０と接続されておらず、かつ、熱媒体管４１ｅが第２熱媒体分岐管４１ｃ（ここでは、第２熱媒体分岐管４１ｃの第２熱媒体冷却器４３と第２逆止弁４６との間の部分）に接続されていることを除いては、上述の変形例３の熱媒体回路１１と同様の構成を有している。尚、熱媒体回路１１１は、冷媒回路１０との接続がない独立した閉回路であることから、熱媒体としては、例えば、冷媒や油、水等のような種々の媒体を使用することが可能である。また、本変形例では、油分離器２２の油出口は、キャピラリチューブ３４を通じて圧縮機２１の吸入側に接続されている。
【０１１４】
このような本変形例の空気調和装置１においては、上述の変形例３とは異なり、冷媒回路１０から独立して熱媒体が熱媒体回路１１１内を循環するという違いはあるものの、冷房運転時（すなわち、冷媒循環方向切換機構としての冷媒循環方向切換弁２３が第１冷媒循環状態である場合）には、熱媒体は、熱媒体冷却器切換機構としての熱媒体冷却器切換弁４４が第１熱媒体冷却状態になるため、第１熱媒体冷却器４２において、冷媒回路１０に起因しない冷却源によって冷却された後に、圧縮機構冷却器４８において、圧縮機２１を流れる冷媒を冷却するように熱媒体回路１１１を循環し、また、暖房運転時（すなわち、冷媒循環方向切換弁２３が第２冷媒循環状態である場合）には、熱媒体は、熱媒体冷却器切換弁４４が第２熱媒体冷却状態になるため、第２熱媒体冷却器４３において、冷媒回路１０に起因する冷却源（ここでは、室外熱交換器２４において発生するドレン水）によって冷却された後に、圧縮機構冷却器４８において、圧縮機２１を流れる冷媒を冷却するように熱媒体回路１１を循環することになる。
【０１１５】
これにより、本変形例の空気調和装置１では、上述の変形例３と同様に、冷媒循環方向切換弁２３が第２冷媒循環状態である場合においても、圧縮機２１の圧縮行程中の冷媒を冷却しながら、圧縮仕事で生じた熱を有効に利用することができる。しかも、本変形例の空気調和装置１では、熱媒体回路１１１が冷媒回路１０を流れる冷媒とは別の熱媒体が循環する閉回路であるため、熱媒体回路１１１を循環する熱媒体の流量が安定し、これにより、安定した圧縮機構冷却器４８の冷却能力を得ることができる。
【０１１６】
（１１）変形例８
上述の変形例４では、圧縮機構冷却器４８の冷却源として、油分離機構２２において分離された冷凍機油のような冷媒回路１０から分離される熱媒体を使用しているが、これに代えて、冷媒回路１０を流れる冷媒とは別の熱媒体を使用してもよい。
【０１１７】
例えば、図１１に示されるように、上述の変形例４における冷媒回路１０に接続された熱媒体回路１１に代えて、冷媒回路１０を流れる冷媒とは別の熱媒体が循環する閉回路からなる熱媒体回路１１１を採用することができる。この熱媒体回路１１１は、冷媒回路１０と接続されておらず、かつ、熱媒体管４１ｅが第２熱媒体分岐管４１ｃ（ここでは、第２熱媒体分岐管４１ｃの第２熱媒体冷却器４３と第２逆止弁４６との間の部分）に接続されていることを除いては、上述の変形例２の熱媒体回路１１と同様の構成を有している。尚、熱媒体回路１１１は、冷媒回路１０との接続がない独立した閉回路であることから、熱媒体としては、例えば、冷媒や油、水等のような種々の媒体を使用することが可能である。また、本変形例では、油分離器２２の油出口は、キャピラリチューブ３４を通じて圧縮機２１の吸入側に接続されている。
【０１１８】
このような本変形例の空気調和装置１においては、上述の変形例４とは異なり、冷媒回路１０から独立して熱媒体が熱媒体回路１１１内を循環するという違いはあるものの、冷房運転時（すなわち、冷媒循環方向切換機構としての冷媒循環方向切換弁２３が第１冷媒循環状態である場合）には、熱媒体は、熱媒体冷却器切換機構としての熱媒体冷却器切換弁４４が第１熱媒体冷却状態になるため、第１熱媒体冷却器４２において、冷媒回路１０に起因しない冷却源によって冷却された後に、圧縮機構冷却器４８において、圧縮機２１を流れる冷媒を冷却するように熱媒体回路１１１を循環し、また、暖房運転時（すなわち、冷媒循環方向切換弁２３が第２冷媒循環状態である場合）には、熱媒体は、熱媒体冷却器切換弁４４が第２熱媒体冷却状態になるため、第２熱媒体冷却器４３において、冷媒回路１０に起因する冷却源（ここでは、蓄熱材４３ａ）によって冷却された後に、圧縮機構冷却器４８において、圧縮機２１を流れる冷媒を冷却するように熱媒体回路１１を循環することになる。
【０１１９】
これにより、本変形例の空気調和装置１では、上述の変形例４と同様に、冷媒循環方向切換弁２３が第２冷媒循環状態である場合においても、圧縮機２１の圧縮行程中の冷媒を冷却しながら、圧縮仕事で生じた熱を有効に利用することができる。しかも、本変形例の空気調和装置１では、熱媒体回路１１１が冷媒回路１０を流れる冷媒とは別の熱媒体が循環する閉回路であるため、熱媒体回路１１１を循環する熱媒体の流量が安定し、これにより、安定した圧縮機構冷却器４８の冷却能力を得ることができる。
【０１２０】
（１２）他の実施形態
以上、本発明の実施形態及びその変形例について図面に基づいて説明したが、具体的な構成は、これらの実施形態及びその変形例に限られるものではなく、発明の要旨を逸脱しない範囲で変更可能である。
【０１２１】
＜Ａ＞
上述の実施形態及びその変形例では、室内ユニット５は１台であったが、複数台であってもよい。
【０１２２】
＜Ｂ＞
上述の変形例１では、圧縮機２１は、スクロール型の圧縮機であったが、これに限定されず、ロータリ型等の他の型式の圧縮機であってもよい。また、上述の実施形態及びその変形例では、１台の圧縮機２１が設けられているが、２台以上の圧縮機が並列に接続されていてもよい。
【０１２３】
＜Ｃ＞
上述の実施形態及びその変形例では、冷媒循環方向切換弁２３や油冷却器切換弁４５として四路切換弁を採用しているが、複数の電磁弁等を組み合わせることで冷媒循環方向切換弁２３や油冷却器切換弁４５と同様の機能を得るようにしてもよい。また、上述の第１実施形態の変形例１３におけるバイパス弁３２及びデフロスト弁３３に代えて、三方弁等を採用してもよい。
【０１２４】
＜Ｄ＞
上述の実施形態及びその変形例では、単段圧縮型の圧縮機構としての圧縮機２１を有する冷媒回路１０を備えた空気調和装置１に対して、圧縮機構冷却器４８等を有する熱媒体回路１１、１１１を設けたが、これに限定されず、２段圧縮型等の多段圧縮型の圧縮機構としての圧縮機を有する冷媒回路を備えた空気調和装置に対して、圧縮機構冷却器等を有する熱媒体回路を設けるようにしてもよい。
【産業上の利用可能性】
【０１２５】
本発明を利用すれば、冷媒の循環方向を切り換え可能な冷媒回路を有する冷凍装置において、加熱能力が必要とされる冷媒の循環状態においても、圧縮機構の圧縮行程中の冷媒を冷却しながら、圧縮仕事で生じた熱を有効に利用することができる。
【図面の簡単な説明】
【０１２６】
【図１】本発明にかかる冷凍装置の第１実施形態としての空気調和装置の概略構成図である。
【図２】変形例１にかかる圧縮機構冷却器が組み込まれた圧縮機の圧縮要素付近を示す縦断面図である。
【図３】図２のＩ−Ｉ断面図である。
【図４】図２のＩＩ−ＩＩ断面図である。
【図５】変形例２にかかる空気調和装置の概略構成図である。
【図６】変形例３にかかる空気調和装置の概略構成図である。
【図７】変形例４にかかる空気調和装置の概略構成図である。
【図８】変形例５にかかる空気調和装置の概略構成図である。
【図９】変形例６にかかる空気調和装置の概略構成図である。
【図１０】変形例７にかかる空気調和装置の概略構成図である。
【図１１】変形例８にかかる空気調和装置の概略構成図である。
【符号の説明】
【０１２７】
１  空気調和装置（冷凍装置）
１０  冷媒回路
１１、１１１  熱媒体回路
２１  圧縮機（圧縮機構）
２２  油分離器（油分離機構）
２３  冷媒循環方向切換弁（冷媒循環方向切換機構）
２４  室外熱交換器（熱源側熱交換器）
４２  第１熱媒体冷却器
４３  第２熱媒体冷却器
４３ａ  蓄熱材
４４  熱媒体冷却器切換弁（熱媒体冷却器切換機構）
４８  圧縮機構冷却器
５１  室内熱交換器（利用側熱交換器）
【図１】
2010107141.tif 000003
【図２】
2010107141.tif 000004
【図３】
2010107141.tif 000005
【図４】
2010107141.tif 000006
【図５】
2010107141.tif 000007
【図６】
2010107141.tif 000008
【図７】
2010107141.tif 000009
【図８】
2010107141.tif 000010
【図９】
2010107141.tif 000011
【図１０】
2010107141.tif 000012
【図１１】
2010107141.tif 000013